(57)【要約】【課題】マイクロコンピュータをユーザターゲット基板に半田付けすることなく効率よくプログラム開発を行うことができ、また形状の異なる多種のマイクロコンピュータにも適用できるようにしたエミュレータプローブシステムを提供する。【解決手段】変換アダプター４に変換アダプター群（４Ａ、４Ｂ〜４Ｎ）を備え、またターゲットコネクター５にターゲットコネクター群（５Ａ、５Ｂ〜５Ｎ）を備え、さらに、ＩＣ実装アダプターにＩＣ実装アダプター群（６Ａ，６Ｂ〜６Ｎ）を備え、共通のエミュレータプローブで種類、または形状の異なる複数のマイコンに実装するプログラム開発の支援をする。【選択図】　　　　図１
2004127228.tif 000002
【特許請求の範囲】
【請求項１】
インサーキットエミュレータとユーザターゲット基板との間を接続して前記ユーザターゲット基板に実装されるマイクロコンピュータのプログラム開発を支援するエミュレータプローブシステムであって、前記ユーザターゲット基板上のマイクロコンピュータ実装用フットパターンに半田付けされるターゲットコネクタと、前記インサーキットエミュレータにケーブルを介して電気的接続されたプローブコネクタを有するエミュレータプローブと、前記エミュレータプローブおよび前記ターゲットコネクタに着脱可能で電気的接続のできる変換アダプターと、マイクロコンピュータ実装用のＩＣ（Ｉｎｔｅｇｒａｔｅｄ　Ｃｉｒｃｕｉｔ）ソケットを搭載し前記ターゲットコネクタに着脱可能で電気的接続のできるＩＣ実装アダプターとを備えたエミュレータプローブシステムにおいて、
前記ターゲットコネクタに、前記ユーザターゲット基板上の種類の異なる、またはピン配列の異なるマイクロコンピュータ実装用のフットパターンの各々に適合したピン端子配列を有して成る複数のターゲットコネクタを備え、
前記変換アダプターに、前記複数のターゲットコネクタの各々に１対１に対応した複数の変換アダプターを備え、
前記ＩＣ実装アダプターに、種類の異なる、またはピン配列の異なるマイクロコンピュータ実装用のＩＣソケットの少なくとも１つを搭載し、且つ前記複数のターゲットコネクタの各々に１対１に対応した複数のＩＣ実装アダプターを備え、たことを特徴とするエミュレータプローブシステム。
【請求項２】
前記ターゲットコネクタは、前記ピン端子と一体となったガイドピンと、前記ターゲットコネクタのプリント基板にガイド穴とを設けたことを特徴とする請求項１記載のエミュレータプローブシステム。
【発明の詳細な説明】
【０００１】
【発明の属する技術分野】
本発明は、エミュレータプローブシステムに係り、特にマイクロコンピュータ（以下、マイコンと記す）をユーザターゲット基板に半田付けすることなく効率よくプログラム開発を行うことができ、また形状の異なる多種のマイコンに
も適用できるようにしたエミュレータプローブシステムに関する。
【０００２】
【従来の技術】
従来のエミュレータプローブとして、例えば特開平０８−２７８９００号公報に開示されているように、ＱＦＰパッケージマイクロコンピュータ（以下、ＱＦＰパッケージマイコンと記す）をユーザターゲット基板に半田付けすることなく、効率よくデバッグ作業を行うことができるようにしたエミュレータプローブは知られている。
【０００３】
図５に従来のエミュレータプローブの斜視図を示す。
図５において、ＩＣソケット２１はユーザターゲット基板１１のマイコン実装用のフットパターン１２に半田付けされ、ＱＦＰパッケージマイコン１９を実装するものである。
【０００４】
ダミーＩＣ２２は実装されるＱＦＰパッケージマイコン１９のパッケージモールド部と同一寸法のプリント基板と、そのプリント基板側面の半円状のスルーホール（切欠部）に半田付けされたリード端子と、中継コネクタ２３とから成る。中継コネクタ２３はダミーＩＣ２２のスルーホールと電気的に接続された端子を有し、ケーブル取付用基板２４のコネクタ２５と着脱可能に電気的に接続される。
ダミーＩＣ２２はインサーキットエミュレータ１６を用いてＱＦＰパッケージマイコン１９に実装するプログラムを評価する際、ＱＦＰパッケージマイコン１９の代わりにＩＣソケット２１に実装される。
【０００５】
インサーキットエミュレータ１６はケーブル取付用基板２４と電気的に接続され、更にケーブル取付用基板の下面に取り付けられたコネクタ２５を介してダミーＩＣ２２と電気的に接続される。
【０００６】
ＱＦＰパッケージマイコン１９に実装するプログラムを評価する際、ＱＦＰパッケージマイコン１９に対応する市販のＩＣソケット２１をユーザターゲット基板１１のマイコン実装用のフットパターン１２に半田付け実装することにより、必要に応じてダミーＩＣ２２またはＱＦＰパッケージマイコン１９をＩＣソケット２１に実装できる。
それ故、プローブ１８またはＱＦＰパッケージマイコン１９を直接ユーザターゲット基板１１に半田付けすることなく、ＩＣソケット２１を介してユーザターゲット基板１１に実装してマイコンレベルのデバッグ作業を行うことができるので、デバッグ効率の向上が図られ、またフットパターン１２の信頼性の保持ができるとしている。
【０００７】
【発明が解決しようとする課題】
しかしながら、従来のエミュレータプローブには、ピン配列の異なる複数のＱＦＰパッケージマイコンに対して共通のエミュレータプローブで対応することができないという課題がある。
【０００８】
また、従来のエミュレータプローブには、ユーザターゲット基板にＩＣソケットを半田付け実装するので、ユーザターゲット基板上に占めるＩＣソケットの実装面積がＱＦＰパッケージマイコンと同等以上になるという課題がある。
【０００９】
さらに、従来のエミュレータプローブのダミーＩＣには、ダミーＩＣのリード端子の形成にダミーＩＣのプリント基板側面に設けたスルーホールを用いているので、小型化及び狭ピッチ化が難しいという課題がある。
【００１０】
また、従来のエミュレータプローブのダミーＩＣには、リード端子がＬ字型をしており、このＬ字型のリード端子をダミーＩＣのプリント基板側面に設けたスルーホールに直接半田付けをしているため、リード端子がプリント基板より大きい構造となるので、ＩＣより小型化が難しいという課題がある。
【００１１】
本発明は、上記した従来技術の課題を解決するためになされたものであって、第１の目的は、ユーザターゲット基板上の種類の異なる、またはピン配列の異なるマイコン実装用のフットパターンの各々に１対１に対応したピン端子配列を有する複数のターゲットコネクタと、複数のターゲットコネクタの各々に１対１に対応した着脱可能で電気的接続のできる複数の変換アダプターと、種類の異なる（例えば、ＱＦＰ、ＬＣＣパッケージマイコン）、またはピン配列の異なるマイコン実装用のＩＣソケットの少なくとも１つを搭載し、且つ複数のターゲットコネクタの各々に１対１に対応した着脱可能で電気的接続のできる複数のＩＣ実装アダプターとを備え、共通のエミュレータプローブで、種類またはピン配列の異なる複数のマイコンに実装するプログラム開発に対応することのできるエミュレータプローブシステムを提供することにある。
【００１２】
また、第２の目的は、ターゲット基板に設けられたマイコン実装用フットパターンに半田付け実装されるターゲットコネクタに、ピン端子補強のためのガイドピンとプリント基板にガイド穴とを設け、実装用マイコンと同一寸法にできるターゲットコネクタを提供することにある。
【００１３】
【課題を解決するための手段】
上記課題を解決するために本発明に係るエミュレータプローブシステムは、種類の異なるＩＣソケット（例えば、ＱＦＰ、ＬＣＣパッケージマイコン実装用ＩＣソケット）、またはピン配列の異なる複数のＩＣソケットの少なくとも１つを有する実装アダプターに接続可能であり、ユーザターゲット基板上のマイコン実装用フットパターンに適合したピン端子配列を有する複数のターゲットコネクタと、各々のターゲットコネクタと１対１に対応した着脱可能に電気的接続のできる複数の変換アダプターとを備えたので、共通のエミュレータプローブで種類の異なる複数のマイコンに実装するプログラム開発ができる。
【００１４】
また、本発明に係るターゲットコネクタは、ガイドピンとプリント基板にガイドピン用のガイド穴とを設けてピン端子の固定強度を高めたので、ユーザターゲット基板上に形成される細かいピッチのマイコン実装用フットパターンに適合した信頼性の高いピン端子を容易に作成することができ、且つ実装用マイコンと同一寸法のピン端子配列にすることができる。
【００１５】
【発明の実施の形態】
本発明の実施の形態を添付図面に基づいて以下に説明する。
図１は本発明に係るエミュレータプローブシステムの一実施形態の概略構成図である。
図１において、エミュレータプローブシステム１は、コネクタ３Ａ、ケーブル３Ｂおよびプローブコネクタ３Ｃとから成るエミュレータプローブ３と、変換アダプター４と、ターゲットコネクタ５と、ＩＣ実装アダプター６とを備えている。
【００１６】
コネクタ３Ａは、インサーキットエミュレータ２とケーブル３Ｂとを接続するものである。
ケーブル３Ｂは柔軟性があり、一端をコネクタ３Ａに接続し、他端をプローブコネクタ３Ｃに接続し、インサーキットエミュレータ２とプローブコネクタ３Ｃとを電気的接続してエミュレータプローブ３を形成する。
【００１７】
変換アダプター４は、複数の変換アダプターから成る変換アダプター群（４Ａ、４Ｂ〜４Ｎ）を備える。
ターゲットコネクタ５は、ピン配列の異なる複数のＱＦＰまたはＬＣＣパッケージマイコンの各々の端子形状に対応した複数のターゲットコネクタから成るターゲットコネクタ群（５Ａ、５Ｂ〜５Ｎ）を備える。
また、ターゲットコネクタ群（５Ａ、５Ｂ〜５Ｎ）の其々は、ユーザターゲット基板７に設けられたピン配列の異なる複数のマイコン実装用フットパターン８の各々に適合したピン端子配列を有し、ユーザターゲット基板７のフットパターン８に半田付けされる。
【００１８】
変換アダプター群（４Ａ、４Ｂ〜４Ｎ）は、その上面側にプローブコネクタ３Ｃと着脱可能で電気的接続することのできるコネクタを備え、また下面側にターゲットコネクタ群（５Ａ、５Ｂ〜５Ｎ）のコネクタの其々と一対に着脱可能に電気的接続することのできるコネクタを備える。
【００１９】
ＩＣ実装アダプター６は、複数のＩＣ実装アダプター、つまりＩＣ実装アダプター群（６Ａ、６Ｂ〜６Ｎ）から成る。
ＩＣ実装アダプター群（６Ａ、６Ｂ〜６Ｎ）の其々は、上面側に種類の異なるＩＣソケット（例えば、ＱＦＰ、ＬＣＣパッケージマイコン実装用ＩＣソケット）、またはピン配列の異なる複数のＩＣソケットの少なくとも１つ搭載している。
【００２０】
ＩＣ実装アダプター６ＡはＩＣソケット６Ａ１を、ＩＣ実装アダプター６ＢはＩＣソケット６Ｂ１を、ＩＣ実装アダプター６ＮはＩＣソケット６Ｎ１を搭載している。
また、ＩＣ実装アダプター群（６Ａ、６Ｂ〜６Ｎ）の其々は、下面側にターゲットコネクタ群（５Ａ、５Ｂ〜５Ｎ）の其々と１対１に対応して着脱可能で電気的接続ができるコネクタを備える。
【００２１】
プログラム開発する際、マイコンを直接ユーザターゲット基板７に半田付けすることなく、必要に応じてターゲットコネクタ５にＩＣ実装アダプター６、または変換アダプター４を介してエミュレータプローブ３が接続される。
【００２２】
この様に、エミュレータプローブシステム１は、変換アダプター４に変換アダプター群（４Ａ、４Ｂ〜４Ｎ）を備え、またターゲットコネクタ５にターゲットコネクタ群（５Ａ、５Ｂ〜５Ｎ）を備え、さらにＩＣ実装アダプター６にＩＣ実装アダプター群（６Ａ、６Ｂ〜６Ｎ）を備えたので、共通のエミュレータプローブで種類の異なる複数のマイコンに実装するプログラム開発をすることができる。
【００２３】
図２は本発明に係るプローブコネクタの一実施形態の模式図である。
図２において、プローブコネクタ３Ｃは、プリント基板３Ｃ１と、コネクタ３Ｃ２とを備えている。
コネクタ３Ｃ２は、ケーブル３Ｂと電気的接続された独立した電極を有する。
【００２４】
図３は本発明に係る変換アダプターの一実施形態の模式図である。
図３において、変換アダプター４Ａは、プリント基板４Ａ１と、プリント基板４Ａ１の上面にコネクタ４Ａ２とを備え、プリント基板４Ａ１の下面にコネクタ４Ａ３を備えている。
コネクタ４Ａ２およびコネクタ４Ａ３は、独立した電極を有し、コネクタ４Ａ２の電極の夫々と電気的接続されている。
【００２５】
図４は本発明に係るターゲットコネクタの一実施形態の模式図である。
図４において、ターゲットコネクタ５Ａは、プリント基板５Ａ１と、サイド穴５Ａ２と、パッド５Ａ３と、サイドピン５Ａ５と、ピン端子５Ａ６と、コネクタ５Ａ７とを備えている。
【００２６】
サイドピン５Ａ５とピン端子５Ａ６とは一体であり、サイドピン５Ａ５はサイド穴５Ａ２に貫通させ、例えば接着剤でサイドピン５Ａ５とプリント基板５Ａ１とを固定することによってピン端子の固定強度を高めることができる。
さらに、サイドピン５Ａ５はプリント基板５Ａ１の裏面に形成されたパッド５Ａ３と半田付け固定され、ピン端子５Ａ６の取付け幅ｗは、プリント基板５Ａ１の幅（大きさ）よりも狭くすることができる。
ターゲットコネクタ５Ａは、ピン端子５Ａ６とユーザターゲット基板７上に形成されたマイコン実装用のフットパターン８とを半田付けしてユーザターゲット基板７上に実装される。
【００２７】
この様に、ターゲットコネクタ５Ａは、プリント基板５Ａ１にサイド穴５Ａ２を設け、ピン端子５Ａ６と一体となったサイドピン５Ａ５を備えたので、ユーザターゲット基板７上に形成される細かいピッチのマイコン実装用のフットパターン８に適合した信頼性の高いピン端子を容易に作成することができ、且つ実装用マイコンと同一寸法のピン端子配列にすることができる。
【００２８】
【発明の効果】
本発明は上記構成により次の効果を発揮する。
本発明に係るエミュレータプローブシステムは、種類の異なるマイコン（例えば、ＱＦＰ、ＬＣＣパッケージマイコン）、またはピン配列の異なる複数のマイコンの各々の端子形状に対応した複数のターゲットコネクタと、各々のターゲットコネクタと１対１に対応した着脱可能に電気的接続のできる複数の変換アダプターと、種類の異なるＩＣソケット、またはピン配列の異なる複数のＩＣソケットの少なくとも１つ搭載し、各々のターゲットコネクタと１対１に対応した着脱可能に電気的接続のできる複数のＩＣ実装アダプターを備え、共通のエミュレータプローブで、種類またはピン配列の異なる複数のマイコンに実装するプログラム開発に対応することができるので、利便性の向上および経済性の向上が図れる。
【００２９】
また、本発明に係るエミュレータプローブシステムのターゲットコネクタは、プリント基板にサイド穴を設け、ピン端子と一体となったサイドピンを備え、信頼性の高いピン端子を容易に作成することができ、且つ実装用マイコンと同一寸法のピン端子配列にすることができ、ユーザターゲット基板上に形成される細かいピッチのマイコン実装用のフットパターンに直接半田付け実装できるので、利便性の向上および経済性の向上が図れる。
【００３０】
よって、本発明は、使い勝手が良く、種類の異なる、またはピン配列の異なる複数のマイコンのプログラム開発を支援することのできるエミュレータプローブシステムを提供することができる。
【図面の簡単な説明】
【図１】本発明に係るエミュレータプローブシステムの概略構成図
【図２】本発明に係るプローブコネクタの模式図
【図３】本発明に係る変換アダプターの模式図
【図４】本発明に係るターゲットコネクタの模式図
【図５】従来のエミュレータプローブの斜視図
【符号の説明】
１…エミュレータプローブシステム
２…インサーキットエミュレータ
３…エミュレータプローブ
３Ａ…コネクタ
３Ｂ…ケーブル
３Ｃ…プローブコネクタ
３Ｃ１…プリント基板
３Ｃ２…コネクタ
４…変換アダプター
４Ａ、４Ｂ〜４Ｎ…変換アダプター群
４Ａ１…プリント基板
４Ａ２、４Ａ３…コネクタ
５…ターゲットコネクタ
５Ａ、５Ｂ〜５Ｎ…ターゲットコネクタ群
５Ａ１…プリント基板
５Ａ２…ガイド穴
５Ａ３…パッド
５Ａ５…ガイドピン
５Ａ６…ピン端子
５Ａ７…コネクタ
６…ＩＣ実装アダプター
６Ａ，６Ｂ〜６Ｎ…ＩＣ実装アダプター群
６Ａ１，６Ｂ１，６Ｎ１…ＩＣソケット
７…ユーザターゲット基板
８…フットパターン
ｗ…ピン端子幅。
【図１】
2004127228.tif 000003
【図２】
2004127228.tif 000004
【図３】
2004127228.tif 000005
【図４】
2004127228.tif 000006
【図５】
2004127228.tif 000007